(57)【要約】  偽造紙幣の取扱者を特定することを可能とした紙幣認識装置を提供する。提案する紙幣認識装置は、取引された紙幣について、紙幣番号認識処理と、紙幣番号以外の情報に基づく紙幣認識処理とを行なう紙幣認識部と、偽造紙幣に関する紙幣番号情報と金種情報とを有する偽造紙幣情報、を記憶する外部記憶装置に未登録の偽造紙幣の紙幣番号情報が、前記紙幣認識部による認識結果として見つかった場合に、取引された紙幣の紙幣番号情報および金種情報を前記外部記憶装置に追加する偽造紙幣情報自動更新部と、前記紙幣認識部により取引された紙幣が偽造紙幣であると認識された場合に、偽造紙幣が見つかったことを通報先に通報する通報部と、を有する。
2009150701.tif 000002
【特許請求の範囲】
【請求項１】
取引された紙幣について、紙幣番号認識処理と、紙幣番号以外の情報に基づく紙幣認識処理とを行なう紙幣認識部と、
偽造紙幣に関する紙幣番号情報と金種情報と取引を識別する取引識別情報とを有する偽造紙幣情報、を記憶する外部記憶装置に未登録の偽造紙幣の紙幣番号情報が、前記紙幣認識部による認識結果として見つかった場合に、取引された紙幣の紙幣番号情報、金種情報、および取引識別情報を前記外部記憶装置に追加する偽造紙幣情報自動更新部と、
前記紙幣認識部により取引された紙幣が偽造紙幣であると認識された場合に、偽造紙幣が見つかったことを、その偽造紙幣の紙幣番号情報、金種情報、および取引識別情報とともに通報先に通報する通報部と、を有することを特徴とする紙幣認識装置。
【請求項２】
取引が、紙幣の受け取りが完了せずに、出金した紙幣を再度装置内に取り込む取り忘れ取込以外の入金を伴うものである場合に、
前記紙幣認識部により取引された紙幣が偽造紙幣であると認識された場合に、取引対象とするすべての紙幣に対する処理終了を遅延させる遅延部、をさらに有することを特徴とする請求項１記載の紙幣認識装置。
【請求項３】
取引を識別する取引識別情報と、取引対象とするすべての紙幣に対する金種情報、紙幣番号情報、および紙幣番号以外の情報に基づく認識結果情報を含む認識処理結果情報とを有する取引毎情報、を前記外部記憶装置に書き込むか、または、紙媒体に印刷する取引毎情報出力部、をさらに有することを特徴とする請求項２記載の紙幣認識装置。
【請求項４】
前記紙幣認識部により偽造紙幣と認識された紙幣については、偽造紙幣専用の紙幣ボックスに格納されることを特徴とする請求項１記載の紙幣認識装置。
【請求項５】
紙幣の受け取りが完了せずに、出金した紙幣を再度装置内に取り込む取り忘れ取込の場合に、取引を識別する取引識別情報と、取引対象とするすべての紙幣に対する金種情報、紙幣番号情報、および紙幣番号以外の情報に基づく認識結果情報を含む認識処理結果情報とを有する取引毎情報、を出金した紙幣と取り込んだ紙幣とに対して生成する取引毎情報生成部と、
出金した紙幣に対して生成された取引毎情報と、取り込んだ紙幣に対して生成された取引毎情報とが一致するかどうかを判定するすり替え判定部と、
取り込んだ紙幣に対して生成された取引毎情報内に偽造紙幣情報と一致する紙幣があるか判定する偽造紙幣判定部と
取り忘れ取込が行なわれたことを、前記出金した紙幣に対して生成された取引毎情報と、取り込んだ紙幣に対して生成された取引毎情報とともに通報先に通報する取り忘れ取込通報部と、をさらに有することを特徴とする請求項１記載の紙幣認識装置。
【請求項６】
取り忘れ取込された紙幣については、取り忘れ取込専用の紙幣ボックスに格納されることを特徴とする請求項５記載の紙幣認識装置。
【請求項７】
取引された紙幣について、紙幣番号認識処理と、紙幣番号以外の情報に基づく紙幣認識処理とを行なう紙幣認識部を有する紙幣認識装置と、該紙幣認識装置にネットワークを通して接続された、偽造紙幣に関する紙幣番号情報と金種情報と取引を識別する取引識別情報とを有する偽造紙幣情報、を記憶する外部記憶装置とによって構成される紙幣認識システムにおいて、
前記紙幣認識装置は、
前記外部記憶装置に未登録の偽造紙幣の紙幣番号情報が、前記紙幣認識部による認識結果として見つかった場合に、取引された紙幣の紙幣番号情報、金種情報、および取引識別情報を前記外部記憶装置に追加する偽造紙幣情報自動更新部と、
前記紙幣認識部により取引された紙幣が偽造紙幣であると認識された場合に、偽造紙幣が見つかったことを、その偽造紙幣の紙幣番号情報、金種情報、および取引識別情報とともに通報先に通報する通報部と、をさらに有することを特徴とする紙幣認識システム。
【請求項８】
前記紙幣認識装置は、
取引を識別する取引識別情報と、取引対象とするすべての紙幣に対する金種情報、紙幣番号情報、および紙幣番号以外の情報に基づく認識結果情報を含む認識処理結果情報とを有する取引毎情報、を前記外部記憶装置に書き込むか、または、紙媒体に印刷する取引毎情報出力部、をさらに有することを特徴とする請求項７記載の紙幣認識システム。
【請求項９】
前記紙幣認識装置は、
紙幣の受け取りが完了せずに、出金した紙幣を再度装置内に取り込む取り忘れ取込の場合に、取引を識別する取引識別情報と、取引対象とするすべての紙幣に対する金種情報、紙幣番号情報、および紙幣番号以外の情報に基づく認識結果情報を含む認識処理結果情報とを有する取引毎情報、を出金した紙幣と取り込んだ紙幣とに対して生成する取引毎情報生成部と、
出金した紙幣に対して生成された取引毎情報と、取り込んだ紙幣に対して生成された取引毎情報とが一致するかどうかを判定するすり替え判定部と、
取り込んだ紙幣に対して生成された取引毎情報内に偽造紙幣情報と一致する紙幣があるか判定する偽造紙幣判定部と
取り忘れ取込が行なわれたことを、前記出金した紙幣に対して生成された取引毎情報と、取り込んだ紙幣に対して生成された取引毎情報とともに通報先に通報する取り忘れ取込通報部と、をさらに有することを特徴とする請求項７記載の紙幣認識システム。
【請求項１０】
取り忘れ取込された紙幣については、前記紙幣認識装置内の取り忘れ取込専用の紙幣ボックスに格納されることを特徴とする請求項９記載の紙幣認識システム。
【請求項１１】
紙幣認識処理および紙幣番号認識処理を行なう紙幣認識部を有し、
偽造紙幣に関する紙幣番号情報と金種情報と取引を識別する取引識別情報とを有する偽造紙幣情報、を記憶する外部記憶装置にアクセス可能なコンピュータを、
前記外部記憶装置に未登録の偽造紙幣の紙幣番号情報が、前記紙幣認識部による認識結果として見つかった場合に、取引された紙幣の紙幣番号情報、金種情報、および取引識別情報を前記外部記憶装置に追加する偽造紙幣情報自動更新部、
前記紙幣認識部により取引された紙幣が偽造紙幣であると認識された場合に、偽造紙幣が見つかったことを、その偽造紙幣の紙幣番号情報、金種情報、および取引識別情報とともに通報先に通報する通報部、として機能させるアプリケーション・プログラム。
【請求項１２】
取引を識別する取引識別情報と、取引対象とするすべての紙幣に対する金種情報、紙幣番号情報、および紙幣番号以外の情報に基づく認識結果情報を含む認識処理結果情報とを有する取引毎情報、を前記外部記憶装置に書き込むか、または、紙媒体に印刷する取引毎情報出力部、として前記コンピュータをさらに機能させることを特徴とする請求項１１記載のアプリケーション・プログラム。
【請求項１３】
紙幣の受け取りが完了せずに、出金した紙幣を再度装置内に取り込む取り忘れ取込の場合に、取引を識別する取引識別情報と、取引対象とするすべての紙幣に対する金種情報、紙幣番号情報、および紙幣番号以外の情報に基づく認識結果情報を含む認識処理結果情報とを有する取引毎情報、を出金した紙幣と取り込んだ紙幣とに対して生成する取引毎情報生成部、
出金した紙幣に対して生成された取引毎情報と、取り込んだ紙幣に対して生成された取引毎情報とが一致するかどうかを判定するすり替え判定部、
取り込んだ紙幣に対して生成された取引毎情報内に偽造紙幣情報と一致する紙幣があるか判定する偽造紙幣判定部と
取り忘れ取込が行なわれたことを、前記出金した紙幣に対して生成された取引毎情報と、取り込んだ紙幣に対して生成された取引毎情報とともに通報先に通報する取り忘れ取込通報部、としてさらに機能させることを特徴とする請求項１１記載のアプリケーション・プログラム。
【請求項１４】
取り忘れ取込された紙幣については、取り忘れ取込専用の紙幣ボックスに格納されることを特徴とする請求項１１記載のアプリケーション・プログラム。
【発明の詳細な説明】
【技術分野】
【０００１】
本発明は、紙幣認識装置において偽造紙幣が使用された場合に、紙幣番号（記番号）を手がかりにして、その偽造紙幣の取扱者を特定する技術に関する。
【背景技術】
【０００２】
自動取引装置（ＡＴＭ）等の紙幣認識装置において、悪意のある利用者によって偽造紙幣が入金されることがある。この偽造紙幣の入金は、例えば、自動取引装置の入金処理の場合だけでなく、出金処理においてもなされることがある。【０００３】
これは、出金された紙幣が一定時間以上放置されると、利用者（顧客）の取り忘れと判断して装置内に取り込む機能（取り忘れ取込機能）が自動取引装置に設けられているが、この機能を悪用し、出金した紙幣を偽造紙幣にすり替えておく、というものである。【０００４】
偽造紙幣を早期に検出して、悪意のある利用者による上記した自動取引装置等の利用を抑止する必要がある。
関連の技術として、特許文献１では、偽造紙幣として知られている紙幣番号等が登録されたデータベースにネットワーク経由で各装置からアクセスすることにより、複数の同じ紙幣番号の偽造紙幣が出回り、複数の装置でその偽造紙幣が使用された場合に、偽造紙幣の検出を可能とするシステムが示されている。【０００５】
特許文献２では、ＡＴＭ端末等の破壊によって盗難された紙幣をタイムリーに担当部門（警察等）に通報することを可能とした盗難紙幣通報システムが示されている。
特許文献３では、利用者カードに正規の取引用の暗証番号の他に、それとは異なる異常取引用の暗証番号を持たせ、悪意のある利用者がその異常取引用の暗証番号を使用して自動取引装置（ＡＴＭ）で取引した場合に、それを、異常時用の識別情報が入力された取引とし、その取引に対しては、取引金額の訂正要求を求めることができる自動取引装置が示されている。【０００６】
しかし、いずれの文献の技術においても、偽造紙幣の取扱者を早期に特定し、現場で確保することはできない。また、巧妙な偽造紙幣が流通した場合、紙幣認識ロジックの開発／評価に時間がかかる関係から、直ちに対応することは困難である。さらに、取り忘れ取込の場合に、出金した紙幣を偽造紙幣にすり替えた場合にも明確な証拠がなく、偽造紙幣の取扱者を特定することが困難である。
【特許文献１】特開２００３−３０３３６７号公報
【特許文献２】特開２００５−１２２５００号公報
【特許文献３】特許第４００８２３３号公報
【発明の開示】
【０００７】
本発明は、偽造紙幣の取扱者を特定することを可能とした紙幣認識装置、紙幣認識システム、およびアプリケーション・プログラムを提供することを目的とする。
提案する第１の紙幣認識装置は、取引された紙幣について、紙幣番号認識処理と、紙幣番号以外の情報に基づく紙幣認識処理とを行なう紙幣認識部と、偽造紙幣に関する紙幣番号情報と金種情報と取引を識別する取引識別情報とを有する偽造紙幣情報、を記憶する外部記憶装置に未登録の偽造紙幣の紙幣番号情報が、前記紙幣認識部による認識結果として見つかった場合に、取引された紙幣の紙幣番号情報、金種情報、および取引識別情報を前記外部記憶装置に追加する偽造紙幣情報自動更新部と、前記紙幣認識部により取引された紙幣が偽造紙幣であると認識された場合に、偽造紙幣が見つかったことを、その偽造紙幣の紙幣番号情報、金種情報、および取引識別情報とともに通報先に通報する通報部と、を有する。
【０００８】
提案する第２の紙幣認識装置は、第１の紙幣認識装置において、紙幣の受け取りが完了せずに、出金した紙幣を再度装置内に取り込む取り忘れ取込の場合に、取引を識別する取引識別情報と、取引対象とするすべての紙幣に対する金種情報、紙幣番号情報、および紙幣番号以外の情報に基づく認識結果情報を含む認識処理結果情報とを有する取引毎情報、を出金した紙幣と取り込んだ紙幣とに対して生成する取引毎情報生成部と、出金した紙幣に対して生成された取引毎情報と、取り込んだ紙幣に対して生成された取引毎情報とが一致するかどうかを判定するすり替え判定部と、取り忘れ取込が行なわれたことを、前記出金した紙幣に対して生成された取引毎情報と、取り込んだ紙幣に対して生成された取引毎情報とともに通報先に通報する取り忘れ取込通報部と、をさらに有するものである。
【０００９】
提案する第１の紙幣認識装置によれば、紙幣認識装置の取引中に偽造紙幣が見つかった時点で、通報部により、偽造紙幣が見つかったこと、その偽造紙幣の紙幣番号情報、金種情報、および取引識別情報が通報先に通報される。このため、通報先において、取引識別情報に含まれる利用者情報を参照して、偽造紙幣の取扱者を早期に特定できる。
【００１０】
提案する第２の紙幣認識装置によれば、取り忘れ取込の場合に、すり替え判定部により、出金した紙幣に対する取引毎情報と取り込んだ紙幣に対する取引毎情報とが一致するかどうかが判定され、判定結果を問わず、取り忘れ取込通報部により、取り忘れ取込が行なわれたこと、出金した紙幣に対する取引毎情報、取り込んだ紙幣に対する取引毎情報が通報先に通報される。このため、通報先において、各取引毎情報の取引識別情報に含まれる利用者情報を参照して、偽造紙幣の取扱者を取り忘れ取込の場合にも特定できる。
【図面の簡単な説明】
【００１１】
【図１】本発明の一実施形態に係る紙幣認識システムの構成を示す図である。
【図２】図１の紙幣認識装置の詳細構成および入金時の処理の流れを示す図である。
【図３】図１の紙幣認識装置の詳細構成および出金時の処理の流れを示す図である。
【図４】記憶媒体例を示す図である。
【図５】取引毎データベースのデータ構造を示す図である。
【図６】偽造紙幣記番号データベースのデータ構造を示す図である。
【図７】通報者データベースのデータ構造を示す図である。
【図８】本実施形態における入金処理のフローチャートである。
【図９】本実施形態における出金処理のフローチャートである。
【図１０】本実施形態における出金処理のフローチャート（続き）である。
【発明を実施するための最良の形態】
【００１２】
以下図面に基づいて、本発明の実施形態について詳細を説明する。
図１は、本発明の一実施形態に係る紙幣認識システムの構成を示す図である。この紙幣認識システムは、銀行の支店等に設置される。【００１３】
図１に示すように、この紙幣認識システムは、紙幣認識装置１と、データベース２と、ホスト３とがネットワークにより接続されて構成されている。
データベース２は、紙幣認識装置１やホスト３からアクセス可能なデータベースである。なお、図には示されていないが、このネットワークには複数台の紙幣認識装置が接続されていて、各紙幣認識装置からもデータベース２にアクセス可能である。【００１４】
図２は、図１の紙幣認識装置の詳細構成および入金時の処理の流れを示す図である。
図２に示すように、紙幣認識装置１は、カード挿入口５、通帳挿入口６、入金口７、出金口８、紙幣認識ユニット９、紙幣格納カセット１０−１、１０−２、・・・、１０−ｎ、紙幣格納ボックス（以下では、紙幣格納Ｂｏｘという）１１−１、１１−２、・・・、１１−ｎ、記録装置１２、を有する。【００１５】
なお、図には示されていないが、上記各部を制御する実行基盤がある。本実施形態では、この実行基盤がソフトウェアにより実現される。以下では、この実行基盤をアプリケーション・プログラムと呼ぶ。【００１６】
入金の取引においては、始めに、カードがカード挿入口５から挿入されるか、または、通帳が通帳挿入口６から挿入されるか、または、カードおよび通帳が、カード挿入口５および通帳挿入口６からそれぞれ挿入されるか、または、操作部（不図示）により入金取引ボタンを入力かする。【００１７】
そして、入金口７が開くことにより、利用者に入金を促す入金モードに移行する。
利用者は入金口７に所定の金額（紙幣）を入金する。入金口７に入金された紙幣は、矢印（１）で、搬送機構（不図示）により１枚ずつ紙幣認識ユニット９まで搬送され、紙幣認識ユニット９において、紙幣１枚ごとに紙幣認識処理と記番号認識処理が実行される。【００１８】
紙幣認識処理では、記番号以外の情報（パターン比較、紙質情報、等）により、その紙幣が偽造紙幣であるかどうかを決定するとともに、その紙幣の金種情報（千券、万券、等）を特定する。また、記番号認識処理では、例えば、内蔵ＯＣＲ（Optical Character Reader）（不図示）により、紙幣の所定位置に印字されている記番号を読み取って、その読み取った画像から記番号を認識する。そして、金種情報と記番号の認識結果が後述の取引毎データベースに出力される。【００１９】
これら認識結果を使用して、本実施形態における偽造紙幣であるかどうかの判定処理が行われる（詳細は後述する）。
紙幣認識処理においても本実施形態における記番号を用いた偽造紙幣の判定処理においても偽造紙幣ではないと判定された場合、矢印（２）で、その紙幣は、搬送機構（不図示）により対応する金種の紙幣格納カセット（図では、紙幣格納カセット１０−１または１０−２のいずれか）まで搬送され、その対応する金種の紙幣格納カセットに格納される。【００２０】
一方、紙幣認識処理と、本実施形態における記番号を用いた偽造紙幣の判定処理との少なくとも一方において、偽造紙幣であると判定された場合、矢印（３）で、その紙幣は、搬送機構（不図示）により偽造紙幣専用の紙幣格納Ｂｏｘ（図では、紙幣格納Ｂｏｘ１１−ｎ）まで搬送され、その偽造紙幣専用の紙幣格納Ｂｏｘに格納される。【００２１】
なお、記録装置１２はジャーナル等（取引情報等）を記録する装置である。
図３は、図１の紙幣認識装置の詳細構成および出金時の処理の流れを示す図である。
図３において、出金の取引においては、始めに、カードがカード挿入口５から挿入されるか、または、カードおよび通帳が、カード挿入口５および通帳挿入口６からそれぞれ挿入されるか、または、操作部（不図示）により出金処理ボタンを入力かする。【００２２】
そして、画面兼タッチパネル部（不図示）を通して利用者が出金する金額を指定する。この出金金額を受け取った上記アプリケーション・プログラムは、対応する紙幣格納カセット（図では、紙幣格納カセット１０−ｎ）と搬送機構（不図示）を制御して、矢印（１）で、その対応する紙幣格納カセットから必要な枚数の紙幣を１枚ずつ搬送機構（不図示）により紙幣認識ユニット９まで搬送させる。【００２３】
紙幣認識ユニット９では、上記したように、紙幣１枚ごとに紙幣認識処理と記番号認識処理が実行される。
紙幣認識処理においても本実施形態における記番号を用いた偽造紙幣の判定処理においても偽造紙幣ではないと判定された場合、矢印（２）で、その紙幣は、搬送機構（不図示）により出金口８まで搬送される。【００２４】
一方、紙幣認識処理と、本実施形態における記番号を用いた偽造紙幣の判定処理との少なくとも一方において、偽造紙幣であると判定された場合、矢印（２’）で、その紙幣は、搬送機構（不図示）により偽造紙幣専用の紙幣格納Ｂｏｘ（図では、紙幣格納Ｂｏｘ１１−ｎ）まで搬送され、その偽造紙幣専用の紙幣格納Ｂｏｘに格納される。【００２５】
なお、出金時におけるもう１つの流れとして、取り忘れ取り込み時の処理（すなわち出金口８に出金された紙幣が出金口８で所定時間以上放置された場合に利用者の取り忘れと判断して出金口８の紙幣を装置内に取り込む処理）がある。【００２６】
この場合、その取り込まれた（複数枚の）紙幣は、矢印（３）で、出金口８から搬送機構（不図示）により１枚ずつ紙幣認識ユニット９まで搬送され、紙幣認識ユニット９において、紙幣１枚ごとに紙幣認識処理と記番号認識処理が実行される。認識処理を出金時と取込時に行なう理由は、出金口８に紙幣が放置されていたときに紙幣の一部がすりかえられている可能性があるからである。【００２７】
出金口においては、例えば、出金された紙幣が持ち出されたか否かを光センサの透過の状況を判断して監視している。したがって、悪意のある利用者により出金された紙幣の内、光センサが透過しないように、少なくとも一枚を出金口内部に残し、他の紙幣を抜き取った後、抜き取った枚数と同じ枚数の偽造された紙幣や異なる種類の紙幣を出金口内部に戻し、あたかも、とり忘れた事を装うことがある。【００２８】
すなわち、出金のために最初に紙幣認識ユニット９を通過した紙幣の組み合わせと、取り忘れ取り込み時に２回目に紙幣認識ユニット９を通過した紙幣の組み合わせが比較されることになる。本実施形態においては、比較の結果として紙幣の組み合わせ同士が一致するかどうかを問わず、取り忘れ取り込みの場合は、矢印（４）で、搬送機構（不図示）により、取り忘れ取り込み専用の紙幣格納Ｂｏｘ（図では、紙幣格納Ｂｏｘ１１−１）まで搬送され、その取り忘れ取り込み専用の紙幣格納Ｂｏｘに格納される。【００２９】
これにより、第三者が触れることなく、紙幣状態を保持したままでの、警察等への提出を容易に行なうことができる。
本実施形態の処理は、記番号認識機能を有する紙幣認識装置において実現可能なものである。紙幣認識装置は、図４に示すように、ＲＯＭ（Read Only Memory）１５、ＲＡＭ（Random Access Memory）１６、ＣＰＵ（Central Processing Unit）１７、通信インターフェイス１８、記録媒体の読み取り装置１９、ハードディスクなどの記憶装置２１、を有し、それらがバス２２によって接続されている。なお、通信インターフェイス１８を通して外部記憶装置２３上のデータ（プログラム）にアクセスできる。【００３０】
上述した各部の制御を行なう実行基盤としてのアプリケーション・プログラムは、ＲＯＭ１５、記憶装置２１、外部記憶装置２３、記録媒体の読み取り装置１９によって読み取られる可搬型記録媒体（ＦＤＤ、フラッシュメモリ、等）に記憶される。そして、実行時には、そのいずれかからＲＡＭ１６に読み出されてＣＰＵ１７により実行される。【００３１】
図１、図２、または図３のデータベース２は、取引毎データベース、偽造紙幣記番号データベース、および通報者データベースを有する。
図５は、取引毎データベースのデータ構造を示す図である。【００３２】
図５に示すように、取引毎データベース２５は、取引情報２６および認識情報２７を有する。
取引情報２６は、管理番号、取引店舗、取引時間、取引種類（入金、出金、等）、顧客情報（氏名、口座番号、等）、により構成される。なお、図には示されていないが、取引情報２６は、紙幣認識装置の識別情報（号機、装置ＩＤ、等）も有する。【００３３】
認識情報２７は、この取引において処理された紙幣の枚数分のレコード（行）数を持つ。各レコードは、その紙幣の記番号と金種とを含む。なお、金種の項目には、紙幣認識処理（すなわち、記番号以外の情報（パターン比較、紙質情報、等を用いた認識処理）の認識結果情報がリンクされている。【００３４】
図６は、偽造紙幣記番号データベースのデータ構造を示す図である。
図６に示すように、偽造紙幣記番号データベース２８は、記番号、金種、顧客情報の各項目を有する。なお、顧客情報は、図５のものと同様である。【００３５】
図７は、通報者データベースのデータ構造を示す図である。
図７に示すように、通報者データベース２９は、通報ランク、登録者、所属、ＴＥＬ（電話番号）、ｍａｉｌ（メールアドレス）、の各項目を有する。【００３６】
問題が生じた場合には、登録者の項目に設定されている者に通報する。通報ランクは、紙幣認識装置２の各取引における偽造紙幣の検出等があったそれぞれのタイミングにおいて、どの登録者に通報するかを決める際に使用される情報である。それぞれの値の意味を以下に示す。
・“Ｓ”すべての事象で通報
・“Ａ”偽造紙幣検出時に通報
・“Ｂ”金種または記番号情報が不一致で、出金額と取込額が異なる場合に通報
・“Ｃ”金種または記番号情報が不一致で、出金額と取込額が同じ場合に通報
・“Ｄ”出金額と取込額が同じかどうかは問わず、金種と記番号情報が一致した場合に通報
図８は、本実施形態における入金処理のフローチャートである。【００３７】
図８のステップＳ１において、入金口７から搬送機構（不図示）により１枚ずつ紙幣認識ユニット９まで搬送された紙幣に対して、紙幣認識ユニット９において、紙幣１枚ごとに上述した紙幣認識処理と記番号認識処理が実行される。すなわち、１枚の紙幣（現在の紙幣）に対し、紙幣認識処理と記番号認識処理が実行される。【００３８】
続く、ステップＳ２では、その現在の紙幣に対する紙幣認識処理および記番号認識処理の結果として、図５の取引毎データベース２５が今回の取引に対して生成される。すなわち、ステップＳ２が入金処理に対して初回に実行される場合は取引情報２６が生成されるとともに認識情報２７の先頭１レコードが生成され、初回以降は認識情報２７の末尾に１レコードが追加される。【００３９】
ステップＳ３では、ステップＳ２で生成または１レコードが追加された取引毎データベース２５と、図６の偽造紙幣記番号データベース２８との照合が行われる。
この照合では、ステップＳ２の記番号認識処理および紙幣認識処理の結果として得られた、現在の紙幣の記番号および金種をキーとして、偽造紙幣記番号データベース２８を検索する。【００４０】
上記偽造紙幣記番号データベース２８の検索処理の結果として、記番号および金種が一致するレコードが偽造紙幣記番号データベース２８において見つかった場合、現在の紙幣を偽造紙幣として特定し、ステップＳ４に進む。【００４１】
上記偽造紙幣記番号データベース２８の検索処理の結果として、記番号および金種が一致するレコードが偽造紙幣記番号データベース２８において見つからなかった場合、取引毎データベース２５の金種の項目にリンクされている、紙幣認識処理（すなわち、記番号以外の情報（パターン比較、紙質情報、等を用いた認識処理）の認識結果情報を参照して、現在の紙幣が偽造紙幣であるかどうかを判定する。【００４２】
認識結果情報が正券であることを示していた場合、ステップＳ５に進む。
認識結果情報が偽造紙幣であることを示していた場合、現在の紙幣に対する記番号情報、金種、および、この取引の取引情報を偽造紙幣記番号データベース２８に追加する。そして、ステップＳ４に進む。【００４３】
ステップＳ４では、図７の通報者データベース２９を基に通報者に通報する。すなわち、通報者データベース２９における「通報ランク」の項目の値が“Ｓ”または“Ａ”である登録者に対し、対応するメールアドレスあてに、偽造紙幣が検出されたことを、現在の紙幣の記番号情報、金種、ステップＳ２で生成したこの取引の取引情報とともに通報する。そして、ステップＳ５に進む。【００４４】
ステップＳ３またはステップＳ４から制御を渡されたステップＳ５では、取引が完了したかどうか（すなわち、入金口７に紙幣が残っているかどうか）が判定される。
入金口７に紙幣が残っている場合、取引は完了していないことになり、ステップＳ１に戻り、搬送機構（不図示）により、その残りから１枚ずつ紙幣認識ユニット９まで搬送して、紙幣認識ユニット９に搬送された紙幣に対して、ステップＳ１以降の処理が繰り返される。【００４５】
一方、入金口７に紙幣が残っていない場合、取引は完了したことになり、ステップＳ６において、取引毎データベース２５の情報（取引情報、紙幣記番号、金種、紙幣認識結果）が媒体（紙媒体、電子媒体いずれも可）に出力される。すなわち、紙媒体に印刷されるか、または、図５に示すように、取引毎データベース２５上にデータとして記憶される。そして、一連の処理を終了する。【００４６】
このように、入金処理においては、紙幣認識装置の取引中に偽造紙幣が見つかった時点で、偽造紙幣が見つかったこと、その偽造紙幣の紙幣記番号、金種、および取引毎データベースの取引情報が通報者データベースに登録されている通報先（登録者）に通報される。このため、通報先において、取引情報に含まれる顧客情報を参照して、偽造紙幣の取扱者を早期に特定できる。【００４７】
取引が、紙幣の受け取りが完了せずに、出金した紙幣を再度装置内に取り込む取り忘れ取込以外の入金を伴う取引（入金、振込み、等）である場合に、ステップＳ３において、処理された紙幣が偽造紙幣であると認識された場合に、取引対象とするすべての紙幣に対する処理終了を遅延させるようにしてもよい。このようにすれば、偽造紙幣の取扱者を現場で確保する可能性を一層高めることが可能となる。【００４８】
図９および図１０は、本実施形態における出金処理のフローチャートである。
利用者によりある出金金額が指定されて出金指示が行われ、図９のステップＳ１１において、対応する紙幣格納カセットから搬送機構（不図示）により１枚ずつ紙幣認識ユニット９まで搬送された紙幣に対して、紙幣認識ユニット９において、紙幣１枚ごとに上述した紙幣認識処理と記番号認識処理が実行される。すなわち、１枚の紙幣（現在の紙幣）に対し、紙幣認識処理と記番号認識処理が実行される。【００４９】
続く、ステップＳ１２では、その現在の紙幣に対する紙幣認識処理および記番号認識処理の結果として、図５の取引毎データベース２５（本フローチャートの説明では、このデータベースを取引毎データベース（Ａ）という）が今回の取引に対して生成される。すなわち、ステップＳ１２が出金処理に対して初回に実行される場合は取引情報２６が生成されるとともに認識情報２７の先頭１レコードが生成され、初回以降は認識情報２７の末尾に１レコードが追加される。【００５０】
ステップＳ１３では、ステップＳ１２で生成または１レコードが追加された取引毎データベース（Ａ）と、図６の偽造紙幣記番号データベース２８との照合が行われる。
この照合では、ステップＳ１２の記番号認識処理および紙幣認識処理の結果として得られた、現在の紙幣の記番号および金種をキーとして、偽造紙幣記番号データベース２８を検索する。【００５１】
上記偽造紙幣記番号データベース２８の検索処理の結果として、記番号および金種が一致するレコードが偽造紙幣記番号データベース２８において見つかった場合、現在の紙幣を偽造紙幣として特定し、ステップＳ１４に進む。【００５２】
上記偽造紙幣記番号データベース２８の検索処理の結果として、記番号および金種が一致するレコードが偽造紙幣記番号データベース２８において見つからなかった場合、取引毎データベース（Ａ）の金種の項目にリンクされている、紙幣認識処理（すなわち、記番号以外の情報（パターン比較、紙質情報、等を用いた認識処理）の認識結果情報を参照して、現在の紙幣が偽造紙幣であるかどうかを判定する。【００５３】
認識結果情報が正券であることを示していた場合、ステップＳ１５に進む。
認識結果情報が偽造紙幣であることを示していた場合、現在の紙幣に対する記番号情報、金種、および、この取引の取引情報を偽造紙幣記番号データベース２８に追加する。そして、ステップＳ１４に進む。【００５４】
ステップＳ１４では、図７の通報者データベース２９を基に通報者に通報する。すなわち、通報者データベース２９における通報ランクの項目の値が“Ｓ”または“Ａ”である登録者に対し、対応するメールアドレスあてに、偽造紙幣が検出されたことを、現在の紙幣の記番号情報、金種、ステップＳ１２で生成したこの取引の取引情報とともに通報する。そして、ステップＳ１５に進む。【００５５】
ステップＳ１３またはステップＳ１４から制御を渡されたステップＳ１５では、出金が完了したかどうか（すなわち、利用者が指定した出金金額についての処理が終了したかどうか）が判定される。【００５６】
利用者が指定した出金金額についての処理が終了していない場合、出金は完了していないことになり、ステップＳ１１に戻り、搬送機構（不図示）により、次の１枚の紙幣を対応する紙幣格納カセットから紙幣認識ユニット９まで搬送して、紙幣認識ユニット９に搬送された紙幣に対して、ステップＳ１１以降の処理が繰り返される。【００５７】
一方、利用者が指定した出金金額についての処理が終了している場合、出金は完了したことになり、ステップＳ１６に進む。
ステップＳ１６では、取引が完了したかどうか（すなわち、出金口８に紙幣が所定時間以上放置されているかどうか）が判定される。【００５８】
所定時間が経過する前に出金口８の紙幣がなくなった場合、取引は完了したことになり、ステップＳ１７において、取引毎データベース（Ａ）の情報（取引情報、紙幣記番号、金種、紙幣認識結果）が媒体（紙媒体、電子媒体いずれも可）に出力される。すなわち、紙媒体に印刷されるか、または、図５に示すように、取引毎データベース２５上にデータとして記憶される。そして、一連の処理を終了する。【００５９】
一方、出金口８に紙幣が所定時間以上放置されていた場合、取引は完了していないことになり、取り忘れ取込として処理される。すなわち、図１０のステップＳ１８に進む。
ステップＳ１８では、出金口８から搬送機構（不図示）により１枚ずつ紙幣認識ユニット９まで搬送された紙幣に対して、紙幣認識ユニット９において、紙幣１枚ごとに上述した紙幣認識処理と記番号認識処理が実行される。すなわち、１枚の紙幣（現在の紙幣）に対し、紙幣認識処理と記番号認識処理が実行される。【００６０】
続く、ステップＳ１９では、その現在の紙幣に対する紙幣認識処理および記番号認識処理の結果として、図５の取引毎データベース２５（本フローチャートの説明では、このデータベースを取引毎データベース（Ｂ）という）が今回の取り忘れ取込に対して生成される。すなわち、ステップＳ１９が取り忘れ取込処理に対して初回に実行される場合は取引情報２６が生成されるとともに認識情報２７の先頭１レコードが生成され、初回以降は認識情報２７の末尾に１レコードが追加される。【００６１】
ステップＳ２０では、ステップＳ１９で生成または１レコードが追加された取引毎データベース（Ｂ）と、図６の偽造紙幣記番号データベース２８との照合が行われる。
この照合では、ステップＳ１９の記番号認識処理および紙幣認識処理の結果として得られた、現在の紙幣の記番号および金種をキーとして、偽造紙幣記番号データベース２８を検索する。【００６２】
上記偽造紙幣記番号データベース２８の検索処理の結果として、記番号および金種が一致するレコードが偽造紙幣記番号データベース２８において見つかった場合、現在の紙幣を偽造紙幣として特定し、ステップＳ２１に進む。【００６３】
上記偽造紙幣記番号データベース２８の検索処理の結果として、記番号および金種が一致するレコードが偽造紙幣記番号データベース２８において見つからなかった場合、取引毎データベース（Ｂ）の金種の項目にリンクされている、紙幣認識処理（すなわち、記番号以外の情報（パターン比較、紙質情報、等を用いた認識処理）の認識結果情報を参照して、現在の紙幣が偽造紙幣であるかどうかを判定する。【００６４】
認識結果情報が正券であることを示していた場合、ステップＳ２２に進む。
認識結果情報が偽造紙幣であることを示していた場合、現在の紙幣に対する記番号情報、金種、および、この取引の取引情報を偽造紙幣記番号データベース２８に追加する。そして、ステップＳ２１に進む。【００６５】
ステップＳ２１では、図７の通報者データベース２９を基に通報者に通報する。すなわち、通報者データベース２９における通報ランクの項目の値が“Ｓ”または“Ａ”である登録者に対し、対応するメールアドレスあてに、偽造紙幣が検出されたことを、現在の紙幣の記番号情報、金種、ステップＳ１９で生成されたこの取引の取引情報とともに通報する。そして、ステップＳ２６に進む。【００６６】
ステップＳ２０から制御を渡されたステップＳ２２では、装置内に取り込んだ紙幣についての処理が完了したかどうかが判定される。
装置内に取り込んだ紙幣についての処理が完了していないと判定された場合、ステップＳ１８に戻り、搬送機構（不図示）により、次の１枚の紙幣を紙幣認識ユニット９まで搬送して、紙幣認識ユニット９に搬送された紙幣に対して、ステップＳ１８以降の処理が繰り返される。【００６７】
一方、装置内に取り込んだ紙幣についての処理が完了したと判定された場合、ステップＳ２３に進む。
ステップＳ２３では、ステップＳ１２で生成された取引毎データベース（Ａ）と、ステップＳ１９で生成された取引毎データベース（Ｂ）とが一致するかどうかが判定される。【００６８】
すなわち、取引毎データベース（Ａ）の認識情報と、取引毎データベース（Ｂ）の認識情報とが組み合わせとして一致するかどうかが判定される。
なお、このとき、取引毎データベース（Ａ）の認識情報の各レコードの金種に対応する金額の総和をとることで、取引毎データベース（Ａ）の合計金額（出金額）を算出し、取引毎データベース（Ｂ）の認識情報の各レコードの金種に対応する金額の総和をとることで、取引毎データベース（Ｂ）の合計金額（取込額）を算出している。【００６９】
ステップＳ２３において、取引毎データベース（Ａ）と取引毎データベース（Ｂ）とが組み合わせとして一致していると判定された場合、ステップＳ２４において、図７の通報者データベース２９を基に通報者に通報する。すなわち、通報者データベース２９における通報ランクの項目の値が“Ｓ”または“Ｄ”である登録者に対し、対応するメールアドレスあてに、取り忘れ取込が発生したことを、取引毎データベース（Ａ）、取引毎データベース（Ｂ）とともに通報する。そして、ステップＳ２６に進む。【００７０】
ステップＳ２３において、取引毎データベース（Ａ）と取引毎データベース（Ｂ）とが組み合わせとして一致していないと判定された場合、ステップＳ２５において、ステップＳ２３で算出された取引毎データベース（Ａ）の出金額と、取引毎データベース（Ｂ）の取込額との比較結果を考慮して、図７の通報者データベース２９を基に通報者に通報する。【００７１】
すなわち、取引毎データベース（Ａ）の出金額と、取引毎データベース（Ｂ）の取込額とが一致しない場合は、通報者データベース２９における通報ランクの項目の値が“Ｓ”または“Ｂ”である登録者に対し、対応するメールアドレスあてに、取り忘れ取込が発生したことを、取引毎データベース（Ａ）、取引毎データベース（Ｂ）とともに通報し、取引毎データベース（Ａ）の出金額と、取引毎データベース（Ｂ）の取込額とが一致する場合は、通報者データベース２９における通報ランクの項目の値が“Ｓ”または“Ｃ”である登録者に対し、対応するメールアドレスあてに、取り忘れ取込が発生したことを、取引毎データベース（Ａ）、取引毎データベース（Ｂ）とともに通報する。そして、ステップＳ２６に進む。【００７２】
ステップＳ２１、ステップＳ２３、またはステップＳ２５から制御を渡されたステップＳ２６では、取引毎データベース（Ａ）および（Ｂ）の情報（取引情報、紙幣記番号、金種、紙幣認識結果）が媒体（紙媒体、電子媒体いずれも可）に印刷される。すなわち、紙媒体に印刷されるか、または、図５に示すように、取引毎データベース２５上にデータとして記憶される。そして、一連の処理を終了する。【００７３】
このように、出金処理においては、取り忘れ取込の場合に、出金した紙幣に対する取引毎データベース（Ａ）の情報と取り込んだ紙幣に対する取引毎データベース（Ｂ）の情報とが一致するかどうかが判定され、判定結果を問わず、取り忘れ取込が行なわれたこと、出金した紙幣に対する取引毎データベース（Ａ）の情報、取り込んだ紙幣に対する取引毎データベース（Ｂ）の情報が通報者データベースに登録されている通報先（登録者）に通報される。このため、通報先において、各取引毎取引毎データベース中の取引情報に含まれる顧客情報を参照して、偽造紙幣の取扱者を取り忘れ取込の場合にも特定できる。【００７４】
また、以上の説明では、図８のステップＳ３、図９のステップＳ１３、図１０のステップＳ２０、ステップＳ２３において、記番号同士を比較している。具体的には、この比較においては、各国の流通紙幣レベル（汚れ、記番号認識、等）から、流通紙幣毎の閾値（その記番号の桁数のうちの何桁が一致した場合を一致とするかを示す値）を設定し、その閾値以上の一致を一致として判定する。【００７５】
また、本システムによれば、巧妙な偽造紙幣に対して紙幣認識処理が対応できない期間に、偽造紙幣の記番号を登録した偽造紙幣記番号データベースを参照して、その巧妙な偽造紙幣を特定することができる。したがって、紙幣認識ロジックの開発／評価に時間がかかる関係から、記番号以外の情報を用いた紙幣認識処理がその巧妙な偽造紙幣に対して対応できない期間に、その巧妙な偽造紙幣に対応することが可能となる。【００７６】
また、以上説明したように、本実施形態によれば、ネットワーク上に共有された紙幣記番号データベースを自動更新している。よって、偽造紙幣の流通を早期に抑止できる。
【図１】
2009150701.tif 000003
【図２】
2009150701.tif 000004
【図３】
2009150701.tif 000005
【図４】
2009150701.tif 000006
【図５】
2009150701.tif 000007
【図６】
2009150701.tif 000008
【図７】
2009150701.tif 000009
【図８】
2009150701.tif 000010
【図９】
2009150701.tif 000011
【図１０】
2009150701.tif 000012
【国際調査報告】
2009150701.tif 000013
2009150701.tif 000014